(57)【要約】【課題】身体の各部位に使用することができ、かつクロスして使用しても捻れが生じない汎用性のある健康促進器具を提供する。【解決手段】一条の伸縮性を有する紐状体の一端部を短軸方向に１回転の捻りを加えて他端部に固着した健康促進器具。【選択図】図２
2011250974.tif 000002
【特許請求の範囲】
【請求項１】
一条の伸縮性を有する紐状体の一端部を短軸方向に１回転の捻りを加え他端部に固着することを特徴とする健康促進器具。
【発明の詳細な説明】
【技術分野】
【０００１】
本発明は、身体の各部位の矯正、強化等に用いられる健康促進器具に関する。
【背景技術】
【０００２】
近年、多忙のためにほとんど運動する機会がなかったり、また仕事上もパソコンを使うようにより、長時間前屈みの状態で過ごすことが多くなってきた。そのために肩こり、腰痛、頭痛、筋力の衰えを訴える人が増えてきているのが現状である。
【０００３】
人間が生きるということは、呼吸をすることであり、これは姿勢を正しくすれば必然的に呼吸が楽になるのである。そして姿勢が良ければ、当然心臓への負荷は軽くなり、またスムーズに空気が流れる（呼吸が楽になる）ようになることから、その結果として血液やリンパ液の流れが良好になる。
しかしながら人間は、それぞれの日常生活において歳をとるに従って、背が曲がってだんだん前屈みになったり、骨や筋肉も衰えてくる。
そしてこれらが原因で肩こり、足腰の痛み、頭痛等が発症するようになる。
【０００４】
これらの症状を治療する器具として種々のものが提案されている。例えばチューブ状の伸縮可能な単体を複数条並列すると共に、この両端側は、環状にして重ねた時対応する面を互に係止させる雄雌型掛止片と係合片に夫々縫着してバンド帯を構成し、更にこのバンド帯の何れか一方の外側の単体は、一端を自由にすると共に、この自由端には、前期端部の一方の係合片と係止できる掛止細片を取付け、この単体で自由に締付け係止可能にした事を特徴とした腰痛バンド（特許文献１）。長手方向に伸縮可能なバンド本体にフック状面ファスナーを取付けてなるバンドにおいて、前記したバンド本体を、パイル状織物とゴムシートを重合して形成された左右の帯状体と、伸縮性を有しない素材を用いて形成された網状袋体とを、網状袋体が中央に位置するような細帯状に設けるとともに、前記したフック状面ファスナーを、ゴムシート側の端部に固着して形成し、前記網状袋体の中に磁石体等を挿入するように構成した健康バンド（特許文献２）。さらに腹部の上側に装着する上側健康器具と、腹部の下側に装着する下側健康器具とからなる痩身用健康バンド及びその使用方法（特許文献３）等が提案されている。
【先行技術文献】
【特許文献】
【０００５】
【特許文献１】登録実用新案第３０２２７０５
【特許文献２】特開２００２−５２０８８
【特許文献３】ＷＯ００１２４３４６
【発明の概要】
【発明が解決しようとする課題】
【０００６】
本発明者は、肩、背中、胸、腕、手、足等の各部位に使用し得る汎用性のある健康促進器具について種々研究を重ねた結果本発明を完成するに至った。
【課題を解決するための手段】
【０００７】
すなわち、本発明は、一条の伸縮性を有する紐状体の一端部を短軸方向に一回転（３６０°）の捻りを加えて、他端部に固着することを特徴とする健康促進器具である。
【発明の効果】
【０００８】
本発明の健康促進器具は、装着したときに捩れ部がなく、身体の各部位にフィットするようになるので装着による違和感がない。
本発明の健康促進器具を利用すると丹田・臀部・脇腹・太股・二の腕・胸部・背筋部等の引き締め・スリム化効果。背骨・腰部・臀部・腹筋・背筋・臍下丹田・脇腹等の矯正効果。腹筋・背筋・臍下丹田・脇腹・歩行・躓き予防（楽に足が上がって躓かなくなる、歩ける。）等の強化。太股と臀部が持ち上がり、歩行が容易になる等の効果。自然にスリムな体となる・太股・臀部・腹部・上腕部・位・脇腹・体脂肪が減少する等の美容効果。肩・坐骨・太股・腰痛の改善・筋力アップ・美肌・便秘解消・若返り・爽快感・胸部／臀部の強化・視点向上効果。無意識で腹式呼吸が出来る効果等の効用がある。
【図面の簡単な説明】
【０００９】
【図１】本発明に使用する紐状体の平面図
【図２】本発明の健康促進器具の状態図
【図３】本発明の紐状体・固定手段を示した平面図
【図４】本発明の健康促進器具を装着した人間の側面から見た状態図
【図５】図４に示した装着状態を人間の背面側から見た状態図
【図６】本発明の健康促進器具をたすき掛け状に装着したときの背面側から見た状態図
【図７】本発明の健康促進器具をクロス部を前面にしたときの状態を示す人間の胸部側から見た状態図
【図８】本発明の健康促進器具を肩部・腰部および尻部に装着した場合を示す状態図
【発明を実施するための形態】
【００１０】
次に本発明を図面を参照しながら説明するが、本発明は以下の説明のみに限定されるものではない。
図１は本発明の１条の伸縮性を有する紐状体１である。この紐状体１の他端を固定した状態で一端を紐状体１の短軸方向に一回転（すなわち３６０°）の捻り２を加えた状態で他端部と固定し環状とする。このようにして構成された健康促進器具は環状部の一部を摘んで吊下させると紐状体１に捻りが加えられていることから図２に示すように自然に８字形を形成するようになり、反作用効果が働く。
【００１１】
本発明の紐状体１の一端部３と他端部４との固着手段としては、接着剤を用いて装着する方法、縫い合せる方法、面ファスナーで固定する方法等種々の手段が採用できる。また固着方法も紐状体１の両端部を重合させて固定する方法、両端部に結合材を介して並列状態（重合しない状態）にして固定する方法等種々固着方法が採用できる。特に図３に示すように紐状体１の表面部の一端部３に例えば面テープの係止片５を設け、他端部４の裏面部に掛止片６を設けることが好ましい。このように面テープで固定する場合使用する際に所定により複数回転の捻りを加えることができるので多重の環状にする場合は好都合である。例えば多重環にして使用する場合は２回転（７２０°）の捻りを加える。
【００１２】
本発明の紐状体１に用いられる素材としては、伸縮性を有するものであればいずれのものでも使用することができ、例えばゴム、プラスチック、弾性織物等が挙げられ、またこれらを重合（貼り合わせ）する等として使用することができる。
【００１３】
また、本発明の紐状体１の形態もシート状、チューブ状等種々のものが用いられる。また紐状体１の厚みも使用目的によってその厚さを調整する事が出来るが、材質にもよるが好ましくは０．０１〜０．５ｍｍ好ましくは０．０１〜０．２５ｍｍの厚さのものが好ましい。さらに紐状体１の長さも使用目的により適宜の長さのものを使用することができる。紐状体１の表面に幾何学や動・植物の模様を印刷して華やかにして、おしゃれ感覚を出すことによって一層の装着性を増すことができる。
【００１４】
次に本発明の健康促進器具の使用方法について説明する。
まず図２に示す状態で紐状体１のクロス部分で折り曲げて二重の環状体にした後この環状体に両足を入れ腰部まで引き上げ、図４に示すように八の字のクロス部分が例えば丹田の近くの位置にくるようにし、二つの環状体の一つを例えば骨盤の上部に引き上げ、もう一方の環状体をお尻の下部に引き下げてお尻がつり上がるように装着する。（図４および図５参照）。本発明の健康促進器具を図４のように装着することによって骨盤の矯正を行うことができると共に、歩行するときにお尻部分にかけられた紐状体１の収縮力によって、臀部から足が軽く持ち上げられ、スムーズに交互に前に出るようになるので歩行が楽になり、足が上がり、つまずきにくくなる。長距離歩いても疲れが少なくなる。
【００１５】
また他の態様として図６に示すように、たすき掛けに装着することによって紐状体１の収縮力によって肩甲骨が背骨側に引き寄せられることによって、胸部が広がり、呼吸が容易になると共に猫背が解消され姿勢も自然に良くなる。
さらに他の態様として図７に示すように八の字の交差部が胸部にくるように装着することによって反作用力が交差して、下から持ち上げる力と上から引っ張る力が働き、胸部周辺の筋力つける自動効果となり、バストアップを計ることもできる。
【００１６】
さらに他の態様として図８に示すように肩部、腰部、尻部にかけて装着した場合特にウォーキングをするときの正しい姿勢が保持され運動効果が増進される。
【符号の説明】
【００１７】
１・・・・紐状体
５・・・・係止片
６・・・・掛止片
【図１】
2011250974.tif 000003
【図２】
2011250974.tif 000004
【図３】
2011250974.tif 000005
【図４】
2011250974.tif 000006
【図５】
2011250974.tif 000007
【図６】
2011250974.tif 000008
【図７】
2011250974.tif 000009
【図８】
2011250974.tif 000010